(57)【要約】【課題】ＳＡＲの許容値を超えない状態を保ちつつ、通信機能を停止せずに動作を継続できる電子計算機。【解決手段】  ＲＦモジュール４２は、高周波送信信号を生成する。傾きセンサ３１は、電子計算機の傾きを検出することによりアンテナが身体に近づく状態にセットされたことを検出する。モードセンサ３２は、第１の筐体部が他方の主面を第２の筐体部の一方の主面に対向させて閉じられたことを検出する。制御回路３５は、第１の筐体部が他方の主面を第２の筐体部の一方の主面に対向させて閉じられたことが検出され、かつ、アンテナが身体に近づく状態にセットされたことが検出された場合に、高周波送信信号が所定レベル以上であるとき切替信号を生成する。切替回路３６は、切替信号が入力された場合に高周波送信信号を切替信号が入力されない場合に比べて相対的に減衰させてアンテナに出力する。【選択図】図２
2009152705.tif 000002
【特許請求の範囲】
【請求項１】
画像を表示する表示部と前記表示部に重ね合わされ前記画像が透過するタブレット部とを保持する第１の筐体部と、
前記画像を表示させる信号を生成する演算回路を保持する第２の筐体部と、
前記第１の筐体部を、前記第１の筐体部がなす前記タブレット部が露出する一方の主面と前記第２の筐体部がなす一方の主面とが対向して閉じられるように前記第２の筐体部と連結するとともに、前記第１の筐体部がなす他方の主面と前記第２の筐体部がなす前記一方の主面とが対向して閉じられるように前記第２の筐体部と連結するヒンジ部と、
前記第１の筐体部が前記他方の主面を前記第２の筐体部の前記一方の主面に対向させて閉じられたことを検出するモードセンサと、
高周波送信信号を電波に変換して輻射するアンテナと、
前記高周波送信信号を生成するＲＦモジュールと、
前記電子計算機の傾きを検出することにより前記アンテナが身体に近づく状態にセットされたことを検出する傾きセンサと、
前記モードセンサにより前記第１の筐体部が前記他方の主面を前記第２の筐体部の前記一方の主面に対向させて閉じられたことが検出され、かつ、前記傾きセンサにより前記アンテナが身体に近づく状態にセットされたことが検出された場合に、前記ＲＦモジュールから送られてくる前記高周波送信信号が所定レベル以上であるとき切替信号を生成する制御回路と、
前記制御回路から前記切替信号が入力されない場合には前記ＲＦモジュールから送られてくる前記高周波送信信号を前記アンテナに出力し、前記制御回路から前記切替信号が入力された場合には前記ＲＦモジュールから送られてくる前記高周波送信信号を前記切替信号が入力されない場合に比べて相対的に減衰させて前記アンテナに出力する切替回路と、
を備える電子計算機。
【請求項２】
画像を表示する表示部と前記表示部に重ね合わされ前記画像が透過するタブレット部とを保持する第１の筐体部と、
前記画像を表示させる信号を生成する演算回路を保持する第２の筐体部と、
前記第１の筐体部を、前記第１の筐体部がなす前記タブレット部が露出する一方の主面と前記第２の筐体部がなす一方の主面とが対向して閉じられるように前記第２の筐体部と連結するとともに、前記第１の筐体部がなす他方の主面と前記第２の筐体部がなす前記一方の主面とが対向して閉じられるように前記第２の筐体部と連結するヒンジ部と、
前記第１の筐体部が前記他方の主面を前記第２の筐体部の前記一方の主面に対向させて閉じられたことを検出するモードセンサと、高周波送信信号を電波に変換して輻射するアンテナと、
前記高周波送信信号を生成するＲＦモジュールと、
前記電子計算機の傾きを検出することにより前記アンテナが身体に近づく状態にセットされたことを検出する傾きセンサと、
前記モードセンサにより前記第１の筐体部が前記他方の主面を前記第２の筐体部の前記一方の主面に対向させて閉じられたことが検出され、かつ、前記傾きセンサにより前記アンテナが身体に近づく状態にセットされたことが検出された場合に、前記ＲＦモジュールから送られてくる前記高周波送信信号に基づき、許容値の限界直前になるように前記ＲＦモジュールから送られてくる前記高周波送信信号を減衰させるための制御信号を生成する制御回路と、
前記制御回路から送られてくる前記制御信号に応じた量だけ前記ＲＦモジュールから送られてくる前記高周波送信信号を減衰させて前記アンテナに出力する減衰回路と、
を備える電子計算機。
【請求項３】
画像を表示する表示部と前記表示部に重ね合わされ前記画像が透過するタブレット部とを保持する第１の筐体部と、
前記画像を表示させる信号を生成する演算回路を保持する第２の筐体部と、
前記第１の筐体部を、前記第１の筐体部がなす前記タブレット部が露出する一方の主面と前記第２の筐体部がなす一方の主面とが対向して閉じられるように前記第２の筐体部と連結するとともに、前記第１の筐体部がなす他方の主面と前記第２の筐体部がなす前記一方の主面とが対向して閉じられるように前記第２の筐体部と連結するヒンジ部と、
前記第１の筐体部が前記他方の主面を前記第２の筐体部の前記一方の主面に対向させて閉じられたことを検出するモードセンサと、
電波を受信して高周波受信信号を生成するとともに、高周波送信信号を電波に変換して輻射するアンテナと、
前記アンテナに送る前記高周波送信信号を生成するとともに前記アンテナから送られてくる前記高周波受信信号から受信信号を生成するＲＦモジュールと、
前記ＲＦモジュールから送られてくる前記受信信号のレベルを判定する受信レベル判定回路と、前記モードセンサにより前記第１の筐体部が前記他方の主面を前記第２の筐体部の前記一方の主面に対向させて閉じられたことが検出され、かつ、前記傾きセンサにより前記アンテナが身体に近づく状態にセットされたことが検出された場合に、前記受信レベル判定回路から送られてくる前記受信信号のレベルが所定レベル以下であるとき切替信号を生成する制御回路と、
前記制御回路から前記切替信号が入力されない場合には前記ＲＦモジュールから送られてくる前記高周波送信信号を前記アンテナに出力し、前記制御回路から前記切替信号が入力された場合には前記ＲＦモジュールから送られてくる前記高周波送信信号を前記切替信号が入力されない場合に比べて相対的に減衰させて前記アンテナに出力する切替回路と、を備える電子計算機。
【請求項４】
前記切替回路は、ＤＰＤＴスイッチと減衰器とから成り、
前記ＤＰＤＴスイッチの第１の極は前記アンテナに接続され、第２の極は、前記減衰器の一端に接続され、第１の接点は、前記減衰器の他端に接続され、第２の接点は前記検波回路に接続されている請求項１または請求項３記載の電子計算機。
【請求項５】
入力された信号を減衰させて出力する減衰器と、
第１の極が第１の入出力端子に接続され、第２の極が前記減衰器の一端に接続され、第１の接点が前記減衰器の他端に接続され、第２の接点が第２の入出力端子に接続されたＤＰＤＴスイッチとを備える切替回路。
【発明の詳細な説明】
【技術分野】
【０００１】
本発明は、無線通信を行う機器に適用される電子計算機および切替回路に関し、特に機器をＳＡＲ（Specific Absorption Rate：比吸収率）の許容値内で動作させる技術に関する。
【背景技術】
【０００２】
コンバーチブルタイプのタブレットパーソナルコンピュータ（以下、「タブレットＰＣ」と略する）は、ＬＣＤ（Liquid Crystal Display）を折り返して本体に重ねたタブレットモードで使用される場合、タブレットＰＣは、図７（ａ）に示すような横長（Landscape Position）または図７（ｂ）に示すような縦長（Portrait Position）で使用することができる。
【０００３】
タブレットＰＣのＴｘアンテナは、例えばＬＣＤの枠の一部に設けられており、タブレットＰＣが図７（ｂ）に示すような縦長で使用される場合、アンテナが身体に近づく状態になる。この状態でタブレットＰＣが使用される場合には、ＦＣＣ（Federal Communications Commission；米国連邦通信委員会）の規格により定められているＳＡＲの許容値に相対的に近づく。
【０００４】
そこで、従来の第３世代（３Ｇ）のアンテナモジュールが搭載されたタブレットＰＣは、ＬＣＤと本体との間に設けられたヒンジの角度およびＬＣＤの表示面の傾きを検出することにより、Ｔｘアンテナが身体に近づく状態にセットされたことを検出し、Ｔｘアンテナから送られてくる電波の輻射を停止している。
【０００５】
このようなアンテナモジュールにおいて、ＳＡＲを許容値内に収めるために、高周波送信信号を減衰させた後に、Ｔｘアンテナから電波として輻射することが考えられる。この高周波送信信号の減衰を実現する技術として、特許文献１に記載されたアンテナスイッチが知られている。このアンテナスイッチは、２台の無線装置が近接通信する場合に生じる過入力による通話品質劣化を、受信雑音指数を劣化させることなく防止する。
【０００６】
このアンテナスイッチは、単極双投（Single Pole/Double Throw）電子スイッチと２個の単極単投（Single Pole/Single Throw）電子スイッチおよび減衰器を一つのチップ上に集積化している。単極双投スイッチの単極端子と双投端子のうちの一つとの間に、単極単投スイッチと減衰器と単極単投スイッチとが直列に接続されている。
【特許文献１】特開平９−２０００７４号公報
【発明の開示】
【発明が解決しようとする課題】
【０００７】
上述したように、従来のタブレットＰＣがタブレットモードで使用され、かつ、タブレットＰＣが図７（ｂ）に示すような縦長で使用される場合には、ＳＡＲの許容値に違反する可能性がある。したがって、３Ｇのアンテナモジュールを使用できず、タブレットＰＣの通信機能を使用できないという問題がある。
【０００８】
本発明の課題は、ＳＡＲの許容値を超えない状態を保ちつつ、通信機能を停止せずに動作を継続できる電子計算機および切替回路を提供することにある。
【課題を解決するための手段】
【０００９】
上記課題を解決するために、本発明の電子計算機は、画像を表示する表示部と前記表示部に重ね合わされ前記画像が透過するタブレット部とを保持する第１の筐体部と、前記画像を表示させる信号を生成する演算回路を保持する第２の筐体部と、前記第１の筐体部を、前記第１の筐体部がなす前記タブレット部が露出する一方の主面と前記第２の筐体部がなす一方の主面とが対向して閉じられるように前記第２の筐体部と連結するとともに、前記第１の筐体部がなす他方の主面と前記第２の筐体部がなす前記一方の主面とが対向して閉じられるように前記第２の筐体部と連結するヒンジ部と、前記第１の筐体部が前記他方の主面を前記第２の筐体部の前記一方の主面に対向させて閉じられたことを検出するモードセンサと、高周波送信信号を電波に変換して輻射するアンテナと、前記高周波送信信号を生成するＲＦモジュールと、前記電子計算機の傾きを検出することにより前記アンテナが身体に近づく状態にセットされたことを検出する傾きセンサと、前記モードセンサにより前記第１の筐体部が前記他方の主面を前記第２の筐体部の前記一方の主面に対向させて閉じられたことが検出され、かつ、前記傾きセンサにより前記アンテナが身体に近づく状態にセットされたことが検出された場合に、前記ＲＦモジュールから送られてくる前記高周波送信信号が所定レベル以上であるとき切替信号を生成する制御回路と、前記制御回路から前記切替信号が入力されない場合には前記ＲＦモジュールから送られてくる前記高周波送信信号を前記アンテナに出力し、前記制御回路から前記切替信号が入力された場合には前記ＲＦモジュールから送られてくる前記高周波送信信号を前記切替信号が入力されない場合に比べて相対的に減衰させて前記アンテナに出力する切替回路とを備える。
【００１０】
また、本発明は、画像を表示する表示部と前記表示部に重ね合わされ前記画像が透過するタブレット部とを保持する第１の筐体部と、前記画像を表示させる信号を生成する演算回路を保持する第２の筐体部と、前記第１の筐体部を、前記第１の筐体部がなす前記タブレット部が露出する一方の主面と前記第２の筐体部がなす一方の主面とが対向して閉じられるように前記第２の筐体部と連結するとともに、前記第１の筐体部がなす他方の主面と前記第２の筐体部がなす前記一方の主面とが対向して閉じられるように前記第２の筐体部と連結するヒンジ部と、前記第１の筐体部が前記他方の主面を前記第２の筐体部の前記一方の主面に対向させて閉じられたことを検出するモードセンサと、高周波送信信号を電波に変換して輻射するアンテナと、前記高周波送信信号を生成するＲＦモジュールと、前記電子計算機の傾きを検出することにより前記アンテナが身体に近づく状態にセットされたことを検出する傾きセンサと、前記モードセンサにより前記第１の筐体部が前記他方の主面を前記第２の筐体部の前記一方の主面に対向させて閉じられたことが検出され、かつ、前記傾きセンサにより前記アンテナが身体に近づく状態にセットされたことが検出された場合に、前記ＲＦモジュールから送られてくる前記高周波送信信号に基づき、許容値の限界直前になるように前記ＲＦモジュールから送られてくる前記高周波送信信号を減衰させるための制御信号を生成する制御回路と、前記制御回路から送られてくる前記制御信号に応じた量だけ前記ＲＦモジュールから送られてくる前記高周波送信信号を減衰させて前記アンテナに出力する減衰回路とを備える。
【００１１】
また、本発明は、画像を表示する表示部と前記表示部に重ね合わされ前記画像が透過するタブレット部とを保持する第１の筐体部と、前記画像を表示させる信号を生成する演算回路を保持する第２の筐体部と、前記第１の筐体部を、前記第１の筐体部がなす前記タブレット部が露出する一方の主面と前記第２の筐体部がなす一方の主面とが対向して閉じられるように前記第２の筐体部と連結するとともに、前記第１の筐体部がなす他方の主面と前記第２の筐体部がなす前記一方の主面とが対向して閉じられるように前記第２の筐体部と連結するヒンジ部と、前記第１の筐体部が前記他方の主面を前記第２の筐体部の前記一方の主面に対向させて閉じられたことを検出するモードセンサと、電波を受信して高周波受信信号を生成するとともに、高周波送信信号を電波に変換して輻射するアンテナと、前記アンテナに送る前記高周波送信信号を生成するとともに前記アンテナから送られてくる前記高周波受信信号から受信信号を生成するＲＦモジュールと、前記ＲＦモジュールから送られてくる前記受信信号のレベルを判定する受信レベル判定回路と、前記モードセンサにより前記第１の筐体部が前記他方の主面を前記第２の筐体部の前記一方の主面に対向させて閉じられたことが検出され、かつ、前記傾きセンサにより前記アンテナが身体に近づく状態にセットされたことが検出された場合に、前記受信レベル判定回路から送られてくる前記受信信号のレベルが所定レベル以下であるとき切替信号を生成する制御回路と、前記制御回路から前記切替信号が入力されない場合には前記ＲＦモジュールから送られてくる前記高周波送信信号を前記アンテナに出力し、前記制御回路から前記切替信号が入力された場合には前記ＲＦモジュールから送られてくる前記高周波送信信号を前記切替信号が入力されない場合に比べて相対的に減衰させて前記アンテナに出力する切替回路とを備える。
【発明の効果】
【００１２】
本発明によれば、アンテナモジュールが適用された電子計算機は、ＳＡＲの許容値を超えない状態を保ちつつ、通信機能を停止せずに動作を継続できる。
【発明を実施するための最良の形態】
【００１３】
以下、本発明の実施の形態を、図面を参照しながら詳細に説明する。
【実施例１】
【００１４】
図１は、本発明の実施例１に係るアンテナモジュールが適用されたコンバーチブルタイプのタブレットＰＣの構成を示す図である。図２は、このタブレットＰＣのアンテナモジュール部分を抽出して示す回路図である。
【００１５】
タブレットＰＣは、図１に示すように、蓋部１と、この蓋部１が回転ヒンジ２によって取り付けられた本体部３とから構成されている。蓋部１は、枠１１に固定されたＬＣＤ１２および枠１１の一部に設けられたアンテナ１３を備えている。ＬＣＤ１２は、本体部３から送られてくる種々の情報を表示するとともに、タブレット（図示しない）によって指示された位置を表す情報を本体部３に送る。
【００１６】
アンテナ１３は、本体部３から回転ヒンジ２を経由して敷設された配線によって送られてくる高周波送信信号を電波に変換して輻射する。
【００１７】
本体部３は、傾きセンサ３１、タブレットモードセンサ３２、演算回路部３３、検波回路３４、制御回路３５およびＡＴＴ（アッテネータ）切替回路３６を備えている。なお、本体部３には、図示していないが、キーボード、ディスク、パッド、種々のスイッチまたは種々のインジケータなどが搭載されている。
【００１８】
傾きセンサ３１は、タブレットＰＣの傾きを検出することにより、アンテナ１３がユーザの身体に近づく状態にセットされたことを検出する。この実施例では、傾きセンサ３１は、タブレットＰＣが、図７（ａ）に示すような横長（Landscape Position）にセットされているか、または、図７（ｂ）に示すような縦長（Portrait Position）にセットされているかを検出する。この傾きセンサ３１によりタブレットＰＣが縦長にセットされていることが検出された場合、即ち、アンテナ１３が身体に近づく状態にセットされたことが検出された場合には、その旨を表す縦長信号が演算回路部３３に送られる。
【００１９】
タブレットモードセンサ３２は、例えば、蓋部１の表面（ＬＣＤ１２が搭載されていない面）に設けられた突起部３２ａと、本体部３の表面（キーボードなどが搭載された面）に取り付けられたマイクロスイッチ３２ｂとから構成されている。マイクロスイッチ３２ｂは、蓋部１が回転ヒンジ２を中心に１８０度回転されて、蓋部１の表面が本体部３の表面に接する状態にセットされた時に、即ち、タブレットＰＣがタブレットモードに設定された時に、突起部３２ａによって押下され、タブレットモードになった旨を表すタブレットモード信号を演算回路部３３に送る。
【００２０】
なお、タブレットモードセンサ３２は、突起部３２ａの代わりに磁石を蓋部１の表面に配置し、マイクロスイッチ３２ｂの代わりに、磁石センサを本体部３に取り付けて構成することもできる。この場合、磁石センサは、蓋部１が回転ヒンジ２を中心に１８０度回転されて、蓋部１の表面が本体部３の表面に接する状態にセットされて磁石に対向した場合に、タブレットモード信号を演算回路部３３に送る。
【００２１】
演算回路部３３は、タブレットＰＣの全体を制御する。演算回路部３３は、ＡＮＤ回路４１およびＲＦモジュール４２を備えている。なお、演算回路部３３には、これら以外に、図示していないが、タブレットＰＣを制御するための種々の制御回路が搭載されている。
【００２２】
ＡＮＤ回路４１は、傾きセンサ３１から送られてくる縦長信号とマイクロスイッチ３２ｂから送られてくるタブレットモード信号の論理積をとり、ＳＡＲ制御信号として制御回路３５に送る。
【００２３】
ＲＦモジュール４２は、演算回路部３３の内部で発生された送信信号に基づき、高周波送信信号を生成し、検波回路３４に送る。
【００２４】
検波回路３４は、演算回路部３３のＲＦモジュール４２から送られてくる高周波送信信号を検波し、検波信号として制御回路３５に送るとともに、高周波送信信号をＡＴＴ切替回路３６に送る。
【００２５】
制御回路３５は、演算回路部３３のＡＮＤ回路４１から送られてくるＳＡＲ制御信号がアクティブである場合に、即ち、タブレットＰＣがタブレットモードにセットされ、かつ、縦長にセットされている場合に、検波回路３４から送られてくる検波信号のレベルを所定のレベル（検波回路３４から送られてくる高周波送信信号をアンテナ１３に送って電波を輻射させた場合にＳＡＲの許容値を超えることになるレベル）と比較し、検波信号のレベルが所定のレベル以上であるときに切替信号を生成してＡＴＴ切替回路３６に送る。
【００２６】
ＡＴＴ切替回路３６は、制御回路３５から切替信号が入力されない場合には、検波回路３４から送られてくる高周波送信信号をスルーさせてアンテナ１３に出力し、制御回路３５から切替信号が入力された場合には、検波回路３４から送られてくる高周波送信信号を所定量だけ減衰させてアンテナ１３に出力する。
【００２７】
図３は、ＡＴＴ切替回路３６の従来から使用されている回路構成を示す図である。このＡＴＴ切替回路３６は、第１ＳＰＤＴ（Single Pole/Double Throw）スイッチ５１、第２ＳＰＤＴスイッチ５２、減衰器（ＡＴＴ）５３およびスルーパターン５４から構成されている。第１ＳＰＤＴスイッチ５１の極Ｐはアンテナ１３に接続され、第１接点Ｔ１は減衰器５３の一端に接続され、第２接点Ｔ２はスルーパターン５４の一端に接続されている。同様に、第２ＳＰＤＴスイッチ５２の極Ｐは検波回路３４（図示省略）に接続され、第１接点Ｔ１は減衰器５３の他端に接続され、第２接点Ｔ２はスルーパターン５４の他端に接続されている。
【００２８】
上記のように構成されるＡＴＴ切替回路３６において、制御回路３５から切替信号が入力されない状態では、検波回路３４から送られてくる高周波送信信号をスルーさせるために、第１ＳＰＤＴスイッチ５１の極Ｐは、第２接点Ｔ２に接続され、第２ＳＰＤＴスイッチ５２の極Ｐは、第２接点Ｔ２に接続されている。
【００２９】
したがって、検波回路３４から送られてくる高周波送信信号は、第２ＳＰＤＴスイッチ５２の極Ｐから第２接点Ｔ２、スルーパターン５４、および、第１ＳＰＤＴスイッチ５１の第２接点Ｔ２から極Ｐを順次に経由してアンテナ１３に送られる。この場合、ＡＴＴ切替回路３６における減衰は、第２ＳＰＤＴスイッチ５２、スルーパターン５４および第１ＳＰＤＴスイッチ５１の各々で発生し、検波回路３４から送られてくる高周波送信信号は、一定の微少量だけ減衰されてアンテナ１３に送られる。
【００３０】
一方、制御回路３５から切替信号が入力された状態では、第１ＳＰＤＴスイッチ５１の極Ｐは、第１接点Ｔ１に接続され、第２ＳＰＤＴスイッチ５２の極Ｐは、第１接点Ｔ１に接続される。
【００３１】
したがって、検波回路３４から送られてくる高周波送信信号は、第２ＳＰＤＴスイッチ５２の極Ｐから第１接点Ｔ１、減衰器５３、および、第１ＳＰＤＴスイッチ５１の第１接点Ｔ１から極Ｐを順次に経由してアンテナ１３に送られる。この場合、ＡＴＴ切替回路３６における減衰量は、第１ＳＰＤＴスイッチ５１および第２のＳＰＤＴスイッチ５２で発生する減衰量より十分大きな減衰量を有する減衰器５３に支配され、検波回路３４から送られてくる高周波送信信号は、所定量（例えば、−１０ｄＢ）だけ減衰されてアンテナ１３に送られる。
【００３２】
図４は、ＡＴＴ切替回路３６の新規な回路構成を示す図である。このＡＴＴ切替回路３６は、減衰器（ＡＴＴ）５３とＤＰＤＴ（Double Pole/Double Throw）スイッチ５５とから構成されている。ＤＰＤＴスイッチ５５の第１極Ｐ１はアンテナ１３に接続され、第２極Ｐ２は、減衰器５３の一端に接続されている。また、ＤＰＤＴスイッチ５５の第１接点Ｔ１は、減衰器５３の他端に接続され、第２接点Ｔ２は検波回路３４（図示省略）に接続されている。
【００３３】
上記のように構成されるＡＴＴ切替回路３６において、制御回路３５から切替信号が入力されない状態では、ＤＰＤＴスイッチ５５の第１極Ｐ１は、第２接点Ｔ２に接続され、第２極Ｐ２は、第１接点Ｔ１に接続されている。
【００３４】
したがって、検波回路３４から送られてくる高周波信号は、ＤＰＤＴスイッチ５５の第２接点Ｔ２から第１極Ｐ１を経由してアンテナ１３に送られる。検波回路３４から送られてくる高周波送信信号をスルーさせる場合、ＡＴＴ切替回路３６における減衰はＤＰＤＴスイッチ５５の内部における減衰だけであって極微少であり、検波回路３４から送られてくる高周波送信信号は、ほぼそのままアンテナ１３に送られる。
【００３５】
一方、制御回路３５から切替信号が入力された状態では、ＤＰＤＴスイッチ５５の第１極Ｐ１は、第１接点Ｔ１に接続され、第２極Ｐ２は、第２接点Ｔ２に接続される。したがって、検波回路３４から送られてくる高周波送信信号は、ＤＰＤＴスイッチ５５の第２接点Ｔ２から第２極Ｐ２、減衰器５３、および、ＤＰＤＴスイッチ５５の第１接点Ｔ１から第１極Ｐ１を経由してアンテナ１３に送られる。
【００３６】
この場合、ＡＴＴ切替回路３６における減衰量は、ＤＰＤＴスイッチ５５で発生する減衰量より十分大きな減衰量を有する減衰器５３に支配され、検波回路３４から送られてくる高周波送信信号は、所定の減衰量（例えば、−１０ｄＢ）だけ減衰されてアンテナ１３に送られる。
【００３７】
上述した図４に示した回路構成を有するＡＴＴ切替回路３６を用いれば、図３に示した回路構成を有するＡＴＴ切替回路３６に比べ、検波回路３４から送られてくる信号をスルーさせる場合の損失を低減することができる。また、ＡＴＴ切替回路３６を構成する部品点数を減らすことができるので、コストを低減できるとともに、部品を搭載するために必要な基板上の面積を低減できる。
【００３８】
このように、本発明の実施例１に係るアンテナモジュールによれば、タブレットＰＣがタブレットモードにセットされ、かつ、縦長にセットされていることが検出された場合に、ＲＦモジュール４２で生成された高周波送信信号を検波することにより得られた検波信号が所定レベル以上であるとき、高周波送信信号がＳＡＲの許容値内になるように所定量だけ減衰されてアンテナ１３に送られる。このため、アンテナモジュールが適用されたタブレットＰＣは、ＳＡＲの許容値を超えない状態を保ちつつ、通信機能を停止せずに動作を継続させることができる。
【００３９】
なお、ＲＦモジュール４２から出力される高周波送信信号のレベルは、受信信号のレベルにより制御されるので、検波回路３４で高周波送信信号を検波して検波信号を生成する代わりに、検波回路３４でアンテナ１３から送られてくる高周波受信信号を検波して検波信号を生成しても良い。
【実施例２】
【００４０】
図５は、本発明の実施例２に係るアンテナモジュールが適用されたコンバーチブルタイプのタブレットＰＣのアンテナモジュール部分を抽出して示す回路図である。
【００４１】
このアンテナモジュールでは、図２に示した実施例１に係るアンテナモジュールのＡＴＴ切替回路３６がバリアブルＡＴＴ回路３７に置き換えられ、制御回路３５が制御回路３５ａに置き換えられている。以下、実施例１に係るアンテナモジュールと相違する部分を中心に説明する。
【００４２】
制御回路３５ａは、演算回路部３３のＡＮＤ回路４１（図１参照）から送られてくるＳＡＲ制御信号がアクティブである場合に、即ち、タブレットＰＣがタブレットモードにセットされ、かつ、縦長にセットされている場合に、検波回路３４から出力される検波信号のレベルに基づき、ＳＡＲの許容値の限界直前になるように検波回路３４から出力される高周波送信信号を減衰させるための制御信号を生成してバリアブルＡＴＴ回路３７に送る。バリアブルＡＴＴ回路３７は、検波回路３４から送られてくる高周波送信信号を、制御回路３５ａから送られてくる制御信号に応じた量だけ減衰させてアンテナ１３に出力する。
【００４３】
実施例２に係るアンテナモジュールによれば、アンテナ１３から、常に、ＳＡＲの許容値を超えない範囲で最も強い電波が輻射されるので、このアンテナモジュールが適用されたタブレットＰＣは、ＳＡＲの許容値を超えない状態を保ちつつ、通信機能を停止せずに動作を継続できる。
【実施例３】
【００４４】
本発明の実施例３に係るアンテナモジュールは、基地局とタブレットＰＣの間の距離に応じてタブレットＰＣから送信する電波の強さを可変することを特徴とする。一般に、自局から基地局までの距離が遠い場合には、着信レベルは低いので、送信レベルを高くする必要がある。この場合には、送信レベルはＳＡＲの許容値を超える可能性があるので、減衰制御を行う必要がある。
【００４５】
これに対して、自局から基地局までの距離が近い場合には、着信レベルは高いので、送信レベルは低くて済む。この場合には、送信レベルはＳＡＲの許容値を超えないので、減衰制御を行う必要がない。
【００４６】
図６は、本発明の実施例３に係るアンテナモジュールが適用されたコンバーチブルタイプのタブレットＰＣのアンテナモジュール部分を抽出して示す回路図である。
【００４７】
このアンテナモジュールにおいては、図２に示した実施例１に係るアンテナモジュールに対して、検波回路３４が除去され、演算回路部３３の内部に受信レベル判定回路４３が追加され、制御回路３５が制御回路３５ｂに置き換えられている。以下、実施例１に係るアンテナモジュールと相違する部分を中心に説明する。
【００４８】
ＡＴＴ切替回路３６は、アンテナ１３から送られてくる高周波受信信号を演算回路部３３のＲＦモジュール４２に送るとともに、制御回路３５ｂから切替信号が入力されない場合には、ＲＦモジュール４２から送られてくる高周波送信信号をスルーさせ、制御回路３５から切替信号が入力された場合には、高周波送信信号を所定量だけ減衰させてアンテナ１３に出力する。
【００４９】
ＲＦモジュール４２は、ＡＴＴ切替回路３６から送られてくる高周波受信信号に対して周波数変換を行い、受信信号として受信レベル判定回路４３に送るとともに、演算回路部３３の内部で発生された送信信号に基づき高周波送信信号を生成し、ＡＴＴ切替回路３６に送る。
【００５０】
受信レベル判定回路４３は、ＲＦモジュール４２から送られてくる受信信号のレベルを判定し、受信レベル信号として制御回路３５ｂに送る。
【００５１】
制御回路３５ｂは、演算回路部３３のＡＮＤ回路４１（図１参照）から送られてくるＳＡＲ制御信号がアクティブである場合に、即ち、タブレットＰＣがタブレットモードにセットされ、かつ、縦長にセットされている場合に、受信レベル判定回路４３から送られてきた受信レベル信号が所定レベル以下である場合には、ＲＦモジュール４２から高いレベルの高周波送信信号が出力される可能性があるため、減衰制御を行う必要が有る旨を認識する。
【００５２】
制御回路３５ｂは、実施例１に係るアンテナモジュールと同様に、受信レベル判定回路４３から受け取った受信レベル信号のレベルを所定のレベル（ＲＦモジュール４２から出力される高周波送信信号をアンテナ１３に送って電波を輻射させた場合にＳＡＲの許容値を超えることになるレベル）と比較し、受信レベル信号のレベルが所定のレベル以下であるとき切替信号を生成してＡＴＴ切替回路３６に送る。
【００５３】
一方、受信レベル判定回路４３から送られてきた受信レベル信号が所定のレベルを超えた場合には、ＲＦモジュール４２から低いレベルの高周波送信信号が出力されるので、減衰制御を行う必要がない旨を認識し、切替信号をＡＴＴ切替回路３６に送らない。これにより、ＲＦモジュール４２から出力される高周波送信信号はＡＴＴ切替回路３６をスルーし、アンテナ１３に送られる。
【００５４】
実施例３に係るアンテナモジュールによれば、タブレットＰＣが基地局の近くに存在する場合には、ＲＦモジュール４２から出力される高周波送信信号のレベルは低く、減衰制御しなくてもＳＡＲの許容値を超えることはない。
【００５５】
このため、タブレットＰＣをタブレットモードにしてかつ縦長で使用する場合でも、受信レベル信号が所定のレベルを超える場合には高周波送信信号のレベルは減衰されず、受信レベル信号が所定のレベル以下である場合にのみ高周波送信信号のレベルが減衰される。したがって、このアンテナモジュールが適用されたタブレットＰＣは、ＳＡＲの許容値を超えない状態を保ちつつ、通信機能を停止せずに動作を継続できる。また、実施例３に係るアンテナモジュールによれば、検波回路３４が不要になるので、アンテナモジュールを簡単かつ安価に構成できる。
【産業上の利用可能性】
【００５６】
本発明は、ノートブックタイプのパーソナルコンピュータまたはＰＤＡ（Personal Digital Assistant）などの無線通信を行う機器であってかつ身体に接近して使用される可能性のある機器に利用することができる。
【図面の簡単な説明】
【００５７】
【図１】本発明の実施例１に係るアンテナモジュールが適用されたコンバーチブルタイプのタブレットＰＣの構成を示す図である。
【図２】本発明の実施例１に係るアンテナモジュールが適用されたコンバーチブルタイプのタブレットＰＣのアンテナモジュール部分を抽出して示す回路図である。
【図３】本発明の実施例１に係るアンテナモジュールにおいて使用されるＡＴＴ切替回路の具体的な回路構成を示す図である。
【図４】本発明の実施例１に係るアンテナモジュールにおいて使用されるＡＴＴ切替回路の他の具体的な回路構成を示す図である。
【図５】本発明の実施例２に係るアンテナモジュールが適用されたコンバーチブルタイプのタブレットＰＣのアンテナモジュール部分を抽出して示す回路図である。
【図６】本発明の実施例３に係るアンテナモジュールが適用されたコンバーチブルタイプのタブレットＰＣのアンテナモジュール部分を抽出して示す回路図である。
【図７】従来のタブレットＰＣの使用状態を説明するための図である。
【符号の説明】
【００５８】
１‥蓋部、２‥本体部、３‥回転ヒンジ、１１‥枠、１２‥ＬＣＤ、１３‥アンテナ、３１‥傾きセンサ、３２‥タブレットモードセンサ、３２ａ‥突起部、３２ｂ‥マイクロスイッチ、３３‥演算回路部、３４‥検波回路、３５，３５ａ，３５ｂ‥制御回路、３６‥ＡＴＴ切替回路、３７‥バリアブルＡＴＴ回路、４１‥ＡＮＤ回路、４２‥ＲＦモジュール、５１，５２‥ＳＰＤＴスイッチ、５３‥減衰器、５４‥スルーパターン、５５‥ＤＰＤＴスイッチ。
【図１】
2009152705.tif 000003
【図２】
2009152705.tif 000004
【図３】
2009152705.tif 000005
【図４】
2009152705.tif 000006
【図５】
2009152705.tif 000007
【図６】
2009152705.tif 000008
【図７】
2009152705.tif 000009